(57)【要約】      （修正有）【課題】釣り竿を支持するヘッドが側方向に回転することを防止し、載置部の離脱を効果的に制裁し、載置部の上下の動きを速やかに固定および解除できる釣り竿受け台の提供。【解決手段】釣り竿受け台で、主棒１０は上下方向に延び下端が底面に固定される固定部１１と、前記固定部１１の上端から上側に延び外径が前記固定部１１の外径に比べて小さく構成された延長部１２で構成され、ヘッド２０の下側面には前記固定部１１の上端と延長部１２が挿入される結合孔２３ａが形成され、前記固定部１１の上端の周面と結合孔２３ａの内周面の下端には、相互に噛み合う複数個の結合溝と結合突起が互いに一定の角度で離隔するように形成され、前記主棒１０の上端に前記ヘッド２０を結合すると、前記結合溝と結合突起が互いに噛み合ってヘッド２０が側方向に回転しないように固定される。【選択図】図３
2020110144.tif 000002
【特許請求の範囲】
【請求項１】
上下方向に延び下端が底面に固定される主棒（１０）と、
前記主棒（１０）の上端に側方向に方向調節可能に結合されるヘッド（２０）と、
前記ヘッド（２０）に上下方向に角度調節可能に結合される載置台（３０）を含む釣り竿受け台において、
前記主棒（１０）は
上下方向に延び下端が底面に固定される固定部（１１）と、
前記固定部（１１）の上端から上側に延び外径が前記固定部（１１）の外径に比べて小さく構成された延長部（１２）を含み、
前記ヘッド（２０）の下側面には前記固定部（１１）の上端と延長部（１２）が挿入される結合孔（２３ａ）が形成され、
前記固定部（１１）の上端の周面と結合孔（２３ａ）の内周面の下端には、相互に噛み合う複数個の結合溝（１１ａ）と結合突起（２３ｂ）が互いに一定の角度で離隔するように形成され、
前記主棒（１０）の上端に前記ヘッド（２０）を結合すると、前記結合溝（１１ａ）と結合突起（２３ｂ）が互いに噛み合ってヘッド（２０）が側方向に回転しないように固定されることを特徴とする、釣り竿受け台。
【請求項２】
前記主棒（１０）の延長部（１２）の上下側の中間部の外周面には狭径部（１２ａ）が形成され、
前記ヘッド（２０）は前記上下方向に延び、内部に前記結合孔（２３ａ）が形成され、外周面の一側には貫通孔（２３ｃ）が形成された支持管部（２３）と、
前記支持管部（２３）の結合孔（２３ａ）にねじ結合され内側端は前記ヘッド（２０）に結合された延長部（１２）の狭径部（１２ａ）の内部に挿入される固定ボルト（２４）を含み、
前記貫通孔（２３ｃ）は前記結合溝（１１ａ）と結合突起（２３ｂ）が互いに噛み合った状態で、前記固定ボルト（２４）の内側端の上側周り部から前記狭径部（１２ａ）の上端までの距離（Ｌ）が前記結合溝（１１ａ）と結合突起（２３ｂ）が相互に噛み合う上下方向の幅（Ｗ）に比べて長くなるように上下方向の位置が調節され、
前記固定ボルト（２４）の内側端が前記狭径部（１２ａ）の内部に挿入された状態で、前記ヘッド（２０）を上側に引っ張って前記結合溝（１１ａ）と結合突起（２３ｂ）の結合を解除できるようになったことを特徴とする、請求項１に記載の釣り竿受け台。
【請求項３】
前記ヘッド（２０）は
前記支持管部（２３）の上端に互いに側方向に離隔するように備えられた一対の支持板（２５）と、
前記支持板（２５）を側方向に貫通するように結合された多段締めボルト（２６）をさらに含み、
前記多段締めボルト（２６）は
側方に延び、前端部にはねじ山（２６ｄ）が形成された小径部（２６ａ）と、
前記小径部（２６ａ）の後段部から後方に行くほど直径が大きくなるように構成された拡径部（２６ｂ）と、
前記拡径部（２６ｂ）の後段部に側方向に延びるように構成された大径部（２６ｃ）を含み、
前記載置台（３０）は
前後方向に延び中間部には前記多段締めボルト（２６）の小径部（２６ａ）が貫通する固定孔（３３ａ）が両側面を貫通するように形成された支持部（３３）と、
前記支持部（３３）の前後側に上側に延びるように形成された前後側載置部（３４、３５）を含み、
前記支持板（２５）には前記小径部（２６ａ）のねじ山（２６ｄ）に対応するねじ結合孔（２５ａ）と前記大径部（２６ｃ）に対応する挿入孔（２５ｂ）が両側面を貫通するようにそれぞれ形成され、
前記支持部（３３）の固定孔（３３ａ）の一側には前記拡径部（２６ｂ）に対応するように構成された密着部（３３ｂ）が形成されたことを特徴とする、請求項２に記載の釣り竿受け台。
【請求項４】
前記主棒（１０）の固定部（１１）の内部には空間部（１３）が形成され、
前記固定部（１１）の一側に備えられたヒンジブラケット（１５）と、
互いに上下方向に平行に離隔するように配置され、基端部が前記ヒンジブラケット（１５）に上下方向に回動可能に結合された第１および第２回動バー（１６、１７）と、
前記第１および第２回動バー（１６、１７）の先端部に回動可能に結合され、上下面を貫通するガイド孔（１８ａ）が形成された支持ブロック（１８）と、
前記ガイド孔（１８ａ）に一定の範囲内で昇降可能に結合され下端部が底面に挿入固定されるアンカー部材（１９）と、
前記空間部（１３）の内部に備えられ、前記第１回動バー（１６）が上側に回動した状態で下降しないように固定する固定手段（４０）をさらに含み、
前記主棒（１０）の周面には内外側面を貫通する長孔（１４）が前記ヒンジブラケット（１５）の下側から前記第１回動バー（１６）が結合された位置の上側まで延びるように形成され、
前記第１回動バー（１６）の基端部には第１回動バー（１６）が上側に回動した時に前記固定手段（４０）に係止される係止段（１６ａ）が形成され、
前記固定手段（４０）は
上下方向に延長されたバーの形状に構成されて前記空間部（１３）の内部に備えられ、下端は前記空間部（１３）の内部にヒンジ結合され、中間部には前記長孔（１４）を通じて主棒（１０）の外側に突出する延長部４１ａが形成され、上端には前記長孔（１４）を通じて主棒（１０）の外側に突出して前記第１回動バー（１６）が上昇すると前記係止段（１６ａ）の上面に係止されて第１回動バー（１６）が下側に回動しないように固定する係止部（４１ｂ）が形成された固定バー（４１）と、
前記固定バー（４１）に連結されて前記係止部（４１ｂ）が前記係止段（１６ａ）の上面に係止されるように固定バー（４１）を外側に加圧する弾性部材（４２）を含み、
使用者が前記支持ブロック（１８）を上側に持ち上げて、前記第１回動バー（１６）の係止段（１６ａ）が前記固定手段（４０）の係止部（４１ｂ）により支持された状態で、前記主棒（１０）を底面に打ち込むと、前記延長部（４１ａ）が内側に押されながら前記係止部（４１ｂ）と係止段（１６ａ）の結合が解除されて前記第１および第２回動バー（１６、１７）が自重によって下側に回動して前記アンカー部材（１９）の下端が底面に接触することを特徴とする、請求項１に記載の釣り竿受け台。
【発明の詳細な説明】
【技術分野】
【０００１】
本発明は、釣り竿を支持するヘッドが側方向に回転することを防止し、載置部の離脱を効果的に制裁し、載置部の上下の動きを速やかに固定および解除できるように考案された、新しい構造の釣り竿受け台に関する。
【背景技術】
【０００２】
一般的に、釣りをする時に使われる釣り竿は長時間持っていると身体に無理となるため、底面に釣り竿受け台を設置し、釣り竿を前記釣り竿受け台に載置している。
【０００３】
図１はこのような釣り竿受け台の一般的な例を図示したものであって、上下方向に延び下端が底面に固定される主棒１０と、前記主棒１０の上端に側方向に方向調節可能に結合されるヘッド２０と、前記ヘッド２０に上下方向に角度調節可能に結合される載置台３０で構成される。
【０００４】
この時、前記ヘッド２０の下端には前記主棒１０の上端が挿入される挿入孔２１が上側に凹んで形成され、前記ヘッド２０の周面には挿入孔２１の内部に延びて前記主棒１０の上端の外周面に密着する固定ボルト２２が備えられる。
【０００５】
前記載置台３０は下端が前記ヘッド２０に上下方向に角度調節可能にヒンジ結合され、図示されていない固定ねじによって固定され、上面の前後側には釣り竿１を載置できるようにされた前後側載置部３１、３２が形成される。
【０００６】
したがって、前記挿入孔２１が前記主棒１０の上端の外側に結合されるようにした状態で、前記ヘッド２０を側方向に回転させた後、前記固定ボルト２２を締めることによって前記載置台３０の方向を調節することができ、載置台３０を上下方向に回動させて角度を調節した後、前記固定ねじを締めることによって載置台３０の傾きを調節することができ、前記載置台３０に釣り竿１を固定することができる。
【０００７】
一方、前記釣り竿受け台に釣り竿１を載置した状態で、風が吹いたり強い潮流発生する場合、釣り竿１に側方向に回転する力が加えられるようになる。
【０００８】
ところが、従来の釣り竿受け台の主棒１０とヘッド２０は固定ボルト２２によって互いに固定されるため、釣り竿１に強い側方向の力が加えられる場合、前記ヘッド２０が側方向に回転する問題点があった。
【０００９】
前記固定ボルト２２をさらに強く締める場合、ヘッド２０が回転する問題をある程度解決することができるが、このような方法ではヘッド２０が側方向に回転する問題を完全に解決できないだけでなく、前記固定ボルト２２を強く締めることが非常に難しくなり、最悪の場合、ヘッド２０が損傷する恐れがある問題点が発生した。
【００１０】
一方、釣りをするときには必要に応じて載置台３０の角度調節が要求されるが、従来の釣り竿受け台の場合、載置台３０の角度調節は固定ボルト２２を解除するか前記固定ねじ（ヘッド２０と載置台３０を結合させるねじ）を解除した状態で行われることになる。
【００１１】
しかし、載置台３０の角度調節のために、固定ボルト２２を解除して主棒１０とヘッド２０間の固定を緩くしたり、ひいてはヘッド２０を上方向に引っ張る場合、強い風や潮流によってヘッド２０および載置台３０が離脱してしまう問題点があった。
【００１２】
また、載置台３０の角度調節のために前記固定ねじを解除する場合にも類似する問題点、すなわち強い風や潮流によって載置台３０が離脱してしまう問題点が発生した。さらに、根本的に載置台３０は前記固定ねじによってヘッド２０に固定されることになるが、単純な固定ねじ構造では載置台３０を密着固定することが容易でない問題点も存在した。
【００１３】
したがって、このような問題点を解決できる新しい方法が必要となった。
【先行技術文献】
【特許文献】
【００１４】
【特許文献１】大韓民国登録実用新案２０−２４５８７４４号
【発明の概要】
【発明が解決しようとする課題】
【００１５】
本発明は前記の問題点を解決するためのものであって、釣り竿１を支持するヘッド２０が側方向に回転することを防止し、ヘッド２０を上方向に移動させる時にヘッド２０が主棒から離脱することを効果的に制裁することができ、ヘッド２０に載置台３０を強く密着固定させながらも、載置台３０の角度を迅速かつ容易に調節できる、新しい構造の釣り竿受け台を提供することにその目的がある。
【課題を解決するための手段】
【００１６】
前記した目的を達成するための本発明は、上下方向に延び下端が底面に固定される主棒１０と、前記主棒１０の上端に側方向に方向調節可能に結合されるヘッド２０と、前記ヘッド２０に上下方向に角度調節可能に結合される載置台３０を含む釣り竿受け台において、前記主棒１０は上下方向に延び下端が底面に固定される固定部１１と、前記固定部１１の上端から上側に延び外径が前記固定部１１の外径に比べて小さく構成された延長部１２を含み、前記ヘッド２０の下側面には前記固定部１１の上端と延長部１２が挿入される結合孔２３ａが形成され、前記固定部１１の上端の周面と結合孔２３ａの内周面の下端には、相互に噛み合う複数個の結合溝１１ａと結合突起２３ｂが互いに一定の角度で離隔するように形成され、前記主棒１０の上端に前記ヘッド２０を結合すると、前記結合溝１１ａと結合突起２３ｂが互いに噛み合ってヘッド２０が側方向に回転しないように固定されることを特徴とする釣り竿受け台が提供される。
【００１７】
本発明の他の特徴によると、前記主棒１０の延長部１２の上下側の中間部の外周面には狭径部１２ａが形成され、前記ヘッド２０は前記上下方向に延び、内部に前記結合孔２３ａが形成され、外周面の一側には貫通孔２３ｃが形成された支持管部２３と、前記支持管部２３の結合孔２３ａにねじ結合され内側端は前記ヘッド２０に結合された延長部１２の狭径部１２ａの内部に挿入される固定ボルト２４を含み、前記貫通孔２３ｃは前記結合溝１１ａと結合突起２３ｂが互いに噛み合った状態で、前記固定ボルト２４の内側端の上側周り部から前記狭径部１２ａの上端までの距離Ｌが前記結合溝１１ａと結合突起２３ｂが相互に噛み合う上下方向の幅Ｗに比べて長くなるように上下方向の位置が調節されて、前記固定ボルト２４の内側端が前記狭径部１２ａの内部に挿入された状態で、前記ヘッド２０を上側に引っ張って前記結合溝１１ａと結合突起２３ｂの結合を解除できるようにされたことを特徴とする釣り竿受け台が提供される。
【００１８】
前記ヘッド２０を上側に持ち上げて前記結合溝１１ａと結合突起２３ｂの結合を解除する時、前記固定ボルト２４が前記狭径部１２ａの上側係止段１２ｂに係止されることによって前記ヘッド２０が延長部１２から完全に離脱しなくなるため、ヘッド２０が延長部１２から完全に離脱して、使用者がヘッド２０を延長部１２に再結合しなければならない煩わしさが発生しない長所がある。
【００１９】
本発明のさらに他の特徴によると、前記ヘッド２０は前記支持管部２３の上端に互いに側方向に離隔するように備えられた一対の支持板２５と、前記支持板２５を側方向に貫通するように結合された多段締めボルト２６をさらに含み、前記多段締めボルト２６は側方に延び、前端部にはねじ山２６ｄが形成された小径部２６ａと、前記小径部２６ａの後段部から後方に行くほど直径が大きくなるように構成された拡径部２６ｂと、前記拡径部２６ｂの後段部に側方向に延びるように構成された大径部２６ｃを含み、前記載置台３０は前後方向に延び中間部には前記多段締めボルト２６の小径部２６ａが貫通する固定孔３３ａが両側面を貫通するように形成された支持部３３と、前記支持部３３の前後側に上側に延びるように形成された前後側載置部３４、３５を含み、前記支持板２５には前記小径部２６ａのねじ山２６ｄに対応するねじ結合孔２５ａと前記大径部２６ｃに対応する挿入孔２５ｂが両側面を貫通するようにそれぞれ形成され、前記支持部３３の固定孔３３ａの一側には前記拡径部２６ｂに対応するように構成された密着部３３ｂが形成されたことを特徴とする釣り竿受け台が提供される。
【００２０】
本発明のさらに他の特徴によると、前記支持管部２３の前面から前方に延び、中間部には上下面を貫通するねじ孔２７ａが形成された支持ブラケット２７と、前記ねじ孔２７ａに上下方向に延びるようにねじ結合されて、上端が前記載置台３０の前方の下側面に接触されて載置台３０の前端部が下側に回動しないように支持する高さ調節ねじ２８をさらに含むことを特徴とする釣り竿受け台が提供される。
【００２１】
本発明のさらに他の特徴によると、前記主棒１０の固定部１１の内部には空間部１３が形成され、前記固定部１１の一側に備えられたヒンジブラケット１５と、互いに上下方向に平行に離隔するように配置され、基端部が前記ヒンジブラケット１５に上下方向に回動可能に結合された第１および第２回動バー１６、１７と、前記第１および第２回動バー１６、１７の先端部に回動可能に結合され、上下面を貫通するガイド孔１８ａが形成された支持ブロック１８と、前記ガイド孔１８ａに一定の範囲内で昇降可能に結合され下端部が底面に挿入固定されるアンカー部材１９と、前記空間部１３の内部に備えられ、前記第１回動バー１６が上側に回動した状態で下降しないように固定する固定手段４０をさらに含み、前記主棒１０の周面には内外側面を貫通する長孔１４が前記ヒンジブラケット１５の下側から前記第１回動バー１６が結合された位置の上側まで延びるように形成され、前記第１回動バー１６の基端部には第１回動バー１６が上側に回動した時に前記固定手段４０に係止される係止段１６ａが形成され、前記固定手段４０は上下方向に延長されたバーの形状に構成されて前記空間部１３の内部に備えられ、下端は前記空間部１３の内部にヒンジ結合され、中間部には前記長孔１４を通じて主棒１０の外側に突出する延長部４１ａが形成され、上端には前記長孔１４を通じて主棒１０の外側に突出して前記第１回動バー１６が上昇すると前記係止段１６ａの上面に係止されて第１回動バー１６が下側に回動しないように固定する係止部４１ｂが形成された固定バー４１と、前記固定バー４１に連結されて前記係止部４１ｂが前記係止段１６ａの上面に係止されるように固定バー４１を外側に加圧する弾性部材４２を含み、使用者が前記支持ブロック１８を上側に持ち上げて、前記第１回動バー１６の係止段１６ａが前記固定手段４０の係止部４１ｂにより支持された状態で、前記主棒１０を底面に打ち込むと、前記延長部４１ａが内側に押されながら前記係止部４１ｂと係止段１６ａの結合が解除されて前記第１および第２回動バー１６、１７が自重によって下側に回動して前記アンカー部材１９の下端が底面に接触することを特徴とする釣り竿受け台が提供される。
【発明の効果】
【００２２】
本発明に係る釣り竿受け台は、前記主棒１０は上下方向に延び下端が底面に固定される固定部１１と、前記固定部１１の上端から上側に延び外径が前記固定部１１の外径に比べて小さく構成された延長部１２で構成され、前記ヘッド２０の下側面には前記固定部１１の上端と延長部１２が挿入される結合孔２３ａが形成され、前記固定部１１の上端の周面と結合孔２３ａの内周面の下端には、相互に噛み合う複数個の結合溝１１ａと結合突起２３ｂが互いに一定の角度で離隔するように形成され、前記主棒１０の上端に前記ヘッド２０を結合すると、前記結合溝１１ａと結合突起２３ｂが互いに噛み合ってヘッド２０が側方向に回転しないように固定される。
【００２３】
したがって、風が吹いたり、強い潮流が発生することにより、釣り竿１に側方向に回転する力が加えられても、前記ヘッド２０が側方向に回転しなくなる長所がある。
【００２４】
さらに、主棒１０の凹凸構造、すなわち狭径部１２ａと固定ボルト２４によってヘッド２０を上方向に移動させる時にヘッド２０が主棒１０から離脱することを効果的に制裁することができ、多段締めボルト２６を利用してヘッド２０に載置台３０を強く密着固定させながらも、載置台３０の角度を迅速かつ容易に調節できる長所がある。
【図面の簡単な説明】
【００２５】
【図１】従来の釣り竿受け台を図示した側面図。
【図２】本発明に係る釣り竿受け台を図示した側面図。
【図３】本発明に係る釣り竿受け台を図示した側断面図。
【図４】本発明に係る釣り竿受け台の主要部を図示した側断面図。
【図５】本発明に係る釣り竿受け台の分解状態を図示した側断面図。
【図６】本発明に係る釣り竿受け台の正断面図。
【図７】本発明に係る釣り竿受け台の分解状態を図示した正断面図。
【図８】本発明に係る釣り竿受け台の作用を図示した参考図。
【図９】本発明に係る釣り竿受け台の作用を図示した参考図。
【図１０】本発明に係る釣り竿受け台の第２実施例を図示した側断面図。
【図１１】本発明に係る釣り竿受け台の第２実施例の作用を図示した参考図。
【図１２】本発明に係る釣り竿受け台の第２実施例の作用を図示した参考図。
【図１３】本発明に係る釣り竿受け台の第２実施例の作用を図示した参考図。
【発明を実施するための形態】
【００２６】
以下、本発明を添付された例示図面に基づいて詳細に説明する。
【００２７】
図２〜図９は本発明に係る釣り竿受け台を図示したものであって、上下方向に延び下端が底面に固定される主棒１０と、前記主棒１０の上端に側方向に方向調節可能に結合されるヘッド２０と、前記ヘッド２０に上下方向に角度調節可能に結合される載置台３０で構成されたことは従来と同じである。
【００２８】
そして、本発明によると、前記主棒１０は上下方向に延び下端が底面に固定される固定部１１と、前記固定部１１の上端から上側に延び外径が前記固定部１１の外径に比べて小さく構成された延長部１２で構成される。
【００２９】
この時、前記固定部１１の上端の周面には複数個の結合溝１１ａが互いに一定の角度で離隔するように形成される。
【００３０】
前記結合溝１１ａは固定部１１の上端の周面から下側に一定の長さだけ延びるように形成される。
【００３１】
そして、前記主棒１０の延長部１２の上下側の中間部の外周面には狭径部１２ａが形成される。
【００３２】
前記狭径部１２ａは直径が前記延長部１２の直径に比べて小さく構成されたものであって、上下方向に十分に長く形成されて、上下端にそれぞれ上下側係止段１２ｂ、１２ｃが形成される。
【００３３】
前記ヘッド２０は前記上下方向に延び、前記固定部１１の上端と延長部１２が挿入される結合孔２３ａが下側面に形成され、外周面の一側には貫通孔２３ｃが形成された支持管部２３と、前記支持管部２３の結合孔２３ａにねじ結合され内側端は前記ヘッド２０に結合された延長部１２の狭径部１２ａの内部に挿入される固定ボルト２４と、前記支持管部２３の上端に互いに側方向に離隔するように備えられた一対の支持板２５と、前記支持板２５を側方向に貫通するように結合された多段締めボルト２６と、前記支持管部２３の前面から前方に延び、中間部には上下面を貫通するねじ孔２７ａが形成された支持ブラケット２７と、前記ねじ孔２７ａに上下方向に延びるようにねじ結合されて、上端が前記載置台３０の前方の下側面に接触されて載置台３０の前端部が下側に回動しないように支持する高さ調節ねじ２８で構成される。
【００３４】
前記支持管部２３は上下方向に延びた管体状に構成され、前記結合孔２３ａの内周面の下端には、前記固定部１１の上端の周面に形成された結合溝１１ａに噛み合う結合突起２３ｂが前記結合溝１１ａに対応するように互いに一定の角度で離隔するように形成される。
【００３５】
この時、前記結合溝１１ａと結合突起２３ｂは図５に図示した通り、棒とパイプを互いにスプライン結合する時に形成するギアの歯のような形態で構成される。
【００３６】
したがって、前記主棒１０の上端が前記結合孔２３ａに挿入されると、前記結合溝１１ａと結合突起２３ｂが互いに噛み合って主棒１０の上端に結合されたヘッド２０が側方向に回転しないように固定する。
【００３７】
そして、前記貫通孔２３ｃの上下方向の位置は、図４に図示した通り、前記結合溝１１ａと結合突起２３ｂが互いに噛み合った状態で、前記固定ボルト２４の内側端の上側周り部から前記狭径部１２ａの上端までの距離Ｌが前記結合溝１１ａと結合突起２３ｂが相互に噛み合う上下方向の幅Ｗに比べて長くなるように上下方向の位置が調節される。
【００３８】
したがって、前記主棒１０の上端に前記ヘッド２０が結合された状態で、使用者が前記固定ボルト２４を締めると、前記固定ボルト２４の内側端が前記狭径部１２ａの周面に密着してヘッド２０が上下方向に流動しないように固定する。
【００３９】
そして、前記ヘッド２０の方向を調節しようとする場合には、前記固定ボルト２４を少しだけ緩めて、固定ボルト２４の内側端が前記狭径部１２ａの内部に挿入されるようにした状態で、図８に図示した通り、前記ヘッド２０を上側に引っ張って前記結合溝１１ａと結合突起２３ｂの結合を解除し、ヘッド２０の方向を調節した後にヘッド２０を下降させると、前記結合溝１１ａと結合突起２３ｂが互いに噛み合ってヘッド２０が側方向に回転しないように結合する。このとき、固定ボルト２４が狭径部１２ａの上端１２ｂに係止されるため、ヘッド２０の離脱が効果的に防止され得る。
【００４０】
前記多段締めボルト２６は図６および図７に図示した通り、側方に延び、前端部にはねじ山２６ｄが形成された小径部２６ａと、前記小径部２６ａの後段部から後方に行くほど直径が大きくなるように構成された拡径部２６ｂと、前記拡径部２６ｂの後段部に側方向に延びるように構成された大径部２６ｃで構成される。
【００４１】
前記支持板２５は側方向の厚さが厚い四角板状に構成され、それぞれの支持板２５には前記小径部２６ａのねじ山２６ｄに対応するねじ結合孔２５ａと前記大径部２６ｃに対応する挿入孔２５ｂが両側面を貫通するようにそれぞれ形成される。
【００４２】
そして、前記高さ調節ねじ２８には前記支持ブラケット２７の上面に密着する固定ナット２８ａが備えられる。
【００４３】
前記載置台３０は前後方向に延び、中間部には前記多段締めボルト２６の小径部２６ａが貫通する固定孔３３ａが両側面を貫通するように形成された支持部３３と、前記支持部３３の前後側に上側に延びるように形成された前後側載置部３４、３５で構成される。
【００４４】
この時、前記固定孔３３ａの一側には前記拡径部２６ｂに対応するように構成された密着部３３ｂが形成される。
【００４５】
したがって、図９に図示した通り、前記高さ調節ねじ２８を正逆方向に回転させると、高さ調節ねじ２８が上昇または下降して、前記載置台３０の先端部の下側を支持することによって、載置台３０が上下方向に回動して載置台３０の傾きを調節する。
【００４６】
そして、使用者が図６に図示した通り、前記多段締めボルト２６を締めると、多段締めボルト２６の拡径部２６ｂが前記載置台３０の密着部３３ｂに密着しながら載置台３０の支持部３３を前記支持板２５で加圧して密着するようにすることによって、載置台３０が回動しないように固定される。
【００４７】
このように構成された釣り竿受け台は、前記主棒１０は上下方向に延び下端が底面に固定される固定部１１と、前記固定部１１の上端から上側に延び外径が前記固定部１１の外径に比べて小さく構成された延長部１２で構成され、前記ヘッド２０の下側面には前記固定部１１の上端と延長部１２が挿入される結合孔２３ａが形成され、前記固定部１１の上端の周面と結合孔２３ａの内周面の下端には、相互に噛み合う複数個の結合溝１１ａと結合突起２３ｂが互いに一定の角度で離隔するように形成され、前記主棒１０の上端に前記ヘッド２０を結合すると、前記結合溝１１ａと結合突起２３ｂが互いに噛み合ってヘッド２０が側方向に回転しないように固定される。
【００４８】
したがって、風が吹いたり、強い潮流が発生することにより、釣り竿１に側方向に回転する力が加えられても、前記ヘッド２０が側方向に回転しなくなる長所がある。
【００４９】
そして、前記主棒１０の延長部１２の上下側の中間部の外周面には狭径部１２ａが形成され、前記ヘッド２０は前記上下方向に延び、内部に前記結合孔２３ａが形成され、外周面の一側には貫通孔２３ｃが形成された支持管部２３と、前記支持管部２３の結合孔２３ａにねじ結合され内側端は前記ヘッド２０に結合された延長部１２の狭径部１２ａの内部に挿入される固定ボルト２４を含み、前記貫通孔２３ｃは前記結合溝１１ａと結合突起２３ｂが互いに噛み合った状態で、前記固定ボルト２４の内側端の上側周り部から前記狭径部１２ａの上端までの距離Ｌが前記結合溝１１ａと結合突起２３ｂが相互に噛み合う上下方向の幅Ｗに比べて長くなるように上下方向の位置が調節される。
【００５０】
したがって、前記固定ボルト２４の内側端が前記狭径部１２ａの内部に挿入された状態で、前記ヘッド２０を上側に引っ張って前記結合溝１１ａと結合突起２３ｂの結合を解除し、ヘッド２０を側方向に回転させた後、ヘッド２０を下降させて結合溝１１ａと結合突起２３ｂが再び結合されることによって、ヘッド２０の方向を容易に調節することができる。
【００５１】
特に、前記ヘッド２０を上側に持ち上げて前記結合溝１１ａと結合突起２３ｂの結合を解除する時、前記固定ボルト２４が前記狭径部１２ａの上側係止段１２ｂに係止されることによって前記ヘッド２０が延長部１２から完全に離脱しなくなるため、ヘッド２０が延長部１２から完全に離脱して使用者がヘッド２０を延長部１２に再結合しなければならない煩わしさが発生しない長所がある。
【００５２】
また、前記ヘッド２０は前記支持管部２３の上端に互いに側方向に離隔するように備えられた一対の支持板２５と、前記支持板２５を側方向に貫通するように結合された多段締めボルト２６がさらに備えられ、前記多段締めボルト２６は側方に延び、前端部にはねじ山２６ｄが形成された小径部２６ａと、前記小径部２６ａの後段部から後方に行くほど直径が大きくなるように構成された拡径部２６ｂと、前記拡径部２６ｂの後段部に側方向に延びるように構成された大径部２６ｃで構成され、前記載置台３０は前後方向に延び中間部には前記多段締めボルト２６の小径部２６ａが貫通する固定孔３３ａが両側面を貫通するように形成された支持部３３と、前記支持部３３の前後側に上側に延びるように形成された前後側載置部３４、３５で構成され、前記支持板２５には前記小径部２６ａのねじ山２６ｄに対応するねじ結合孔２５ａと前記大径部２６ｃに対応する挿入孔２５ｂが両側面を貫通するようにそれぞれ形成され、前記支持部３３の固定孔３３ａの一側には前記拡径部２６ｂに対応するように構成された密着部３３ｂが形成されるため、使用者が前記載置台３０の傾きを調節した後、前記多段締めボルト２６を締めると、前記拡径部２６ｂが密着部３３ｂを加圧して載置台３０を堅固に固定できる長所がある。
【００５３】
そして、前記支持管部２３の前面から前方に延び、中間部には上下面を貫通するねじ孔２７ａが形成された支持ブラケット２７と、前記ねじ孔２７ａに上下方向に延びるようにねじ結合されて、上端が前記載置台３０の前方の下側面に接触されて載置台３０の前端部が下側に回動しないように支持する高さ調節ねじ２８がさらに備えられ、前記高さ調節ねじ２８を利用して載置台３０の傾きを調節した後、前記多段締めボルト２６を引き締めて載置台３０の傾きを固定できるため、載置台３０の傾きを調節することが非常に容易となる長所がある。
【００５４】
図１０〜図１３は本発明に係る第２実施例を図示したものであって、前記主棒１０の固定部１１の内部には空間部１３が形成され、前記固定部１１の一側に備えられたヒンジブラケット１５と、互いに上下方向に平行に離隔するように配置され、基端部が前記ヒンジブラケット１５に上下方向に回動可能に結合された第１および第２回動バー１６、１７と、前記第１および第２回動バー１６、１７の先端部に回動可能に結合され、上下面を貫通するガイド孔１８ａが形成された支持ブロック１８と、前記ガイド孔１８ａに一定の範囲内で昇降可能に結合され下端部が底面に挿入固定されるアンカー部材１９と、前記空間部１３の内部に備えられ、前記第１回動バー１６が上側に回動した状態で下降しないように固定する固定手段４０がさらに備えられる。
【００５５】
この時、前記主棒１０の周面には内外側面を貫通する長孔１４が前記ヒンジブラケット１５の下側から前記第１回動バー１６が結合された位置の上側まで延びるように形成される。
【００５６】
前記第１および第２回動バー１６、１７は長さが同一に構成される。
【００５７】
前記第１回動バー１６の基端部には図１１に図示した通り、第１回動バー１６が上側に回動した時に前記固定手段４０に係止される係止段１６ａが形成される。
【００５８】
前記アンカー部材１９は上下方向の長さが前記支持ブロック１８の上下方向高さに比べて長く構成されたものであって、下端部は尖がって構成され、上下側に前記支持ブロック１８の上下の側面に係止される係止段１９ａが形成され、前記ガイド孔１８ａに結合された状態で一定の範囲内で昇降されるように構成される。
【００５９】
前記固定手段４０は上下方向に延長されたバーの形状に構成されて前記空間部１３の内部に備えられ、下端は前記空間部１３の内部にヒンジ結合され、中間部には前記長孔１４を通じて主棒１０の外側に突出する延長部４１ａが形成され、上端には前記長孔１４を通じて主棒１０の外側に突出して前記第１回動バー１６が上昇すると前記係止段１６ａの上面に係止されて第１回動バー１６が下側に回動しないように固定する係止部４１ｂが形成された固定バー４１と、前記固定バー４１に連結されて前記係止部４１ｂが前記係止段１６ａの上面に係止されるように固定バー４１を外側に加圧する弾性部材４２で構成される。
【００６０】
このように構成された釣り竿受け台は、釣り竿受け台を使わない時は図１０に図示した通り、前記第１および第２回動バー１６、１７を下側に回動した状態で保管する。
【００６１】
そして、前記主棒１０を底面に固定する時は、図１１に図示した通り、使用者が前記支持ブロック１８を上側に持ち上げて、前記第１および第２回動バー１６、１７を上側に回動させると、前記第１回動バー１６の係止段１６ａが前記固定手段４０の係止部４１ｂにより係止されて、第１および第２回動バー１６、１７が下側に回動しないように固定される。
【００６２】
そして、図１２に図示した通り、使用者が前記主棒１０を底面に打ち込むと、底面の土などによって前記延長部４１ａが内側に押されながら前記係止部４１ｂと係止段１６ａの結合が解除されて前記第１および第２回動バー１６、１７が自重によって下側に回動して前記アンカー部材１９の下端が底面に接触することにする。
【００６３】
そして、図１３に図示した通り、使用者が前記アンカー部材１９を底面に打ち込むと、アンカー補材が底面に固定される。
【００６４】
したがって、前記主棒１０が第１および第２回動バー１６、１７とアンカー部材１９により固定され、主棒１０が側方向に回動しないように堅固に固定される。
【００６５】
すなわち、前述した第１実施例の場合、主棒１０が上下方向に延びた棒状に構成されるため、主棒１０を底面に打ち込んだ状態で主棒１０に強い側方向の力が加えられると主棒１０が側方向に回転し、これに伴い、前記ヘッド２０と載置台３０および釣り竿１が側方向に回転する。
【００６６】
しかし、本実施例の場合、前記主棒１０が第１および第２回動バー１６、１７とアンカー部材１９により固定されて底面に堅固に固定されるため、主棒１０が回転し、これに伴い、前記ヘッド２０と載置台３０および釣り竿１が側方向に回転することをさらに効果的に防止することができる。
【符号の説明】
【００６７】
１０：主棒
２０：ヘッド
３０：載置台
【図１】
2020110144.tif 000003
【図２】
2020110144.tif 000004
【図３】
2020110144.tif 000005
【図４】
2020110144.tif 000006
【図５】
2020110144.tif 000007
【図６】
2020110144.tif 000008
【図７】
2020110144.tif 000009
【図８】
2020110144.tif 000010
【図９】
2020110144.tif 000011
【図１０】
2020110144.tif 000012
【図１１】
2020110144.tif 000013
【図１２】
2020110144.tif 000014
【図１３】
2020110144.tif 000015
【外国語明細書】
2020110144000001.pdf